(57)【要約】【課題】  額縁に生じた結露水で室内の床等が濡れるのを防止できる改修サッシの提供。【解決手段】  縦額縁４と下額縁３とコーナー部品１０とを備え、コーナー部品１０は、縦額縁４の外側面４ｂの結露水を受ける結露水受け部１１と、縦額縁４の内側面４ｃの結露水を受ける結露水受け部１２とを有する。【選択図】      図５
2019218708.tif 000002
【特許請求の範囲】
【請求項１】
縦額縁と下額縁とコーナー部品とを備え、コーナー部品は、縦額縁の外側面の結露水を受ける結露水受け部と、縦額縁の内側面の結露水を受ける結露水受け部とを有することを特徴とする改修サッシ。
【発明の詳細な説明】
【技術分野】
【０００１】
本発明は、既設枠の内側に新設枠を取付けて窓を改修する改修サッシに関する。
【背景技術】
【０００２】
従来より、既設枠の内周側に新しい窓枠を取付ける改修サッシが知られている（例えば、特許文献１参照。）。かかる改修サッシは、新設枠の室内側にアルミ製のカバー材（額縁）を取付けて既設枠と新設枠との隙間等を隠しており、室内側における結露水の対策が必要とされていた。
【先行技術文献】
【特許文献】
【０００３】
【特許文献１】特開２０１１−１９０６４９号公報
【発明の概要】
【発明が解決しようとする課題】
【０００４】
本発明は以上に述べた実情に鑑み、額縁に生じた結露水で室内の床等が濡れるのを防止できる改修サッシの提供を目的とする。
【課題を解決するための手段】
【０００５】
上記の課題を達成するために請求項１記載の発明による改修サッシは、縦額縁と下額縁とコーナー部品とを備え、コーナー部品は、縦額縁の外側面の結露水を受ける結露水受け部と、縦額縁の内側面の結露水を受ける結露水受け部とを有することを特徴とする。
【発明の効果】
【０００６】
請求項１記載の発明による改修サッシは、縦額縁と下額縁とコーナー部品とを備え、コーナー部品は、縦額縁の外側面の結露水を受ける結露水受け部と、縦額縁の内側面の結露水を受ける結露水受け部とを有するので、縦額縁の外側面及び内側面に結露水が生じても、コーナー部品の結露水受け部でその結露水を受けるので、室内の床等が濡れるのを防止できる。
【図面の簡単な説明】
【０００７】
【図１】本発明の改修サッシの一実施形態を示す縦断面図である。
【図２】同改修サッシの横断面図である。
【図３】同改修サッシの下枠部を拡大して示す縦断面図である。
【図４】縦額縁と下額縁とのコーナー部を室内側から見た図である。
【図５】縦額縁と下額縁とのコーナー部の斜視図である。
【図６】（ａ）はコーナー部品の平面図、（ｂ）は同コーナー部品の内周側側面図、（ｃ）は同コーナー部品の室内側正面図、（ｄ）はＡ−Ａ断面図である。
【図７−１】本発明の改修サッシの施工手順を示す縦断面図（ａ）と横断面図（ｂ）であって、既設枠に各補助材を取付けた状態を示している。
【図７−２】本発明の改修サッシの施工手順（図７−１の続き）を示す縦断面図（ａ）と横断面図（ｂ）であって、既設枠の内側に新設枠を取付けるときの状態を示している。
【図７−３】本発明の改修サッシの施工手順（図７−２の続き）を示す縦断面図（ａ）と横断面図（ｂ）であって、額縁を取付けるときの状態を示している。
【図８】気密防水テープの設置状態を示す斜視図である。
【図９】本発明の改修サッシの他の実施形態を示す縦断面図である。
【図１０】同改修サッシの横断面図である。
【発明を実施するための形態】
【０００８】
以下、本発明の実施の形態を図面に基づいて説明する。図１〜５は、本発明の改修サッシの一実施形態を示している。この改修サッシは、図１，２に示すように、建物の躯体開口部に既に取付けられている窓枠（既設枠８）をそのまま残して、既設枠８の内側に室外側から新しい窓枠（新設枠１）を嵌め込んで新設枠１を既設枠８に補助材１３ａ，１３ｂ，１３ｃ，１３ｄ，１３ｅを介してネジ１４で固定し、新設枠１の室内側に額縁２，３，４を取付け、新設枠１に新しい障子１５ａ，１５ｂを取付けて窓を改修するものである。
既設枠８は、アルミニウム合金の押出形材よりなる既設下枠１６と既設上枠１７と左右の既設縦枠１８，１８を四方枠組みして構成してある。新設枠１は、新設下枠２１と新設上枠２３と左右の新設縦枠２４，２４を四方枠組みして構成してある。本実施形態では、既設枠８と新設枠１は、いずれも引違い窓用の窓枠となっている。既設枠８の室内側には、既存の木製額縁（躯体）９が設けられている。
【０００９】
既設下枠１６は、図１に示すように、外障子を案内する外レール１９が根元付近より切除され、内障子を案内する内レール２０にレール補助材１３ａが長手方向に沿って取付けてある。また、既設下枠１６の室内側壁に略Ｌ形断面の室内側補助材１３ｂが長手方向に沿って取付けてあり、室内側補助材１３ｂ上に新設下枠２１を載置して内周側からネジ１４で固定してある。室内側補助材１３ｂとレール補助材１３ａとの隙間にはスペーサー２２を配置してある。既設下枠１６の室外側端部には、室外側補助材１３ｃが長手方向の略全長に設けてあり、これにより既設下枠１６の室外側端部と新設下枠２１の室外側端部との間に貫通孔ができないようにしている。
既設上枠１７には上枠補助材１３ｄが長手方向に沿って取付けられ、上枠補助材１３ｄと新設上枠２３との隙間にスペーサー２２を配置し、上枠補助材１３ｄに新設上枠２３を内周側からネジ１４で固定してある。
既設縦枠１８には、図２に示すように、縦枠補助材１３ｅが長手方向に沿って取付けられ、縦枠補助材１３ｅと新設縦枠２４との間にスペーサー２２を配置し、縦枠補助材１３ｅに新設縦枠２４を内周側からネジ１４で固定してある。
【００１０】
新設下枠２１は、図１に示すように、室内側壁２５の内周側端部より室内側に向けて水平にのびる突壁２６を有し、突壁２６の先端は既設下枠１６の室内側端と見込方向の同じ位置に位置している。突壁２６の基端部には、下額縁３の室外側端部が係合する溝２７が設けてある。
新設上枠２３は、図１に示すように、室内側壁２５より室内側に突出する突出部２８を有しており、突出部２８は内周側に開口した額縁呑み込み溝５と、室内側端部に設けた見付壁２９と、見付壁２９の内周側端より室外側に向けてのびる見込壁３０を有している。見付壁２９は、既設上枠１７の室内側面３１と同面となっている。
新設縦枠２４は、図２に示すように、新設上枠２３と同様に、室内側壁２５より室内側に突出する突出部２８を有しており、突出部２８は内周側に開口した額縁呑み込み溝５と、室内側端部に設けた見付壁２９と、見付壁２９の内周側端より室外側に向けてのびる見込壁３０を有している。見付壁２９は、既設縦枠１８の室内側面３１と同面となっている。
【００１１】
本改修サッシは、図１，２，８に示すように、気密防水テープ７ａ，７ｂ，７ｃを新設枠１の内周側面の室内側端部から、外周側に折り曲げて既設枠８の室内側面３１又は既設枠８よりも室内側の躯体９の内周側面にわたって設けることで、既設枠８と新設枠１の間の四周の隙間を室内側から塞いでいる。
より詳細に説明すると、気密防水テープ７ａ，７ｂ，７ｃは市販のロール状に巻かれた一定幅（例えば２５ｍｍ幅）のものを使用し、下枠部においては、まず新設下枠２１の突壁２６の内周側面の室内側端部に、気密防水テープ７ａの幅方向の一方側の縁部を長手方向に沿って全長に貼り付けてから気密防水テープ７ａを切断し、その後、気密防水テープ７ａを突壁２６の先端で外周側に折り曲げ、気密防水テープ７ａの反対側の縁部をさらに室内側に向けて折り曲げた状態で既設仕上げ面（既存の木製額縁９の内周側面）３２に貼り付けている。上枠部においては、まず新設上枠２３の突出部２８の見込壁３０に、気密防水テープ７ｂの幅方向の一方側の縁部を長手方向に沿って全長に貼り付けてから気密防水テープ７ｂを切断し、その後、気密防水テープ７ｂを見込壁３０の先端で外周側に折り曲げ、残りの部分を新設上枠２３の見付壁２９と既設上枠１７の室内側面３１に跨って貼り付けている。縦枠部においても上枠部と同様に、まず新設縦枠２４の突出部２８の見込壁３０に、気密防水テープ７ｃの幅方向の一方側の縁部を長手方向に沿って全長に貼り付けてから気密防水テープ７ｃを切断し、その後、気密防水テープ７ｃを見込壁３０の先端で外周側に折り曲げ、残りの部分を新設縦枠２４の見付壁２９と既設縦枠１８の室内側面３１に跨って貼り付けている。
そうして新設枠１の全周に気密防水テープ７ａ，７ｂ，７ｃを貼り付けたら、図８に示すように、縦方向に貼った気密防水テープ７ｃの長手方向端部と横方向に貼った気密防水テープ７ａ，７ｂの長手方向端部に跨るようにして、さらに気密防水テープ７ｄを貼り、気密防水テープ７ａ，７ｂ，７ｃ，７ｄを四周連続させている。
【００１２】
本改修サッシは、図１，２に示すように、新設枠１の室内側部（突壁２６、突出部２８）から既設仕上げ面（既存の木製額縁９の内周側面）３２にわたって内周側から額縁２，３，４を取付けて、新設枠１と既設枠８との隙間や既設枠８、及び気密防水テープ７ａ，７ｂ，７ｃ，７ｄを隠している。額縁２，３，４は、上額縁２と左右の縦額縁４，４と下額縁３とからなる。上額縁２と縦額縁４と下額縁３は、アルミニウム合金の押出形材で形成してある。
上額縁２は、図１に示すように、内周側見込壁３３と見付壁３４と外周側見込壁３５とを有するクランク状断面となっている。内周側見込壁３３には、一対の突片３６，３６が外周側に向けて突出して形成してあり、該突片３６，３６により新設上枠２３の額縁呑み込み溝５に挿入するための挿入部６を構成している。さらに上額縁２は、既設上枠１７と新設上枠２３との隙間の位置で気密防水テープ７ｂに室内側から近接する剥がれ防止片３７を有しており、これにより気密防水テープ７ｂが剥がれるのを防いでいる。上額縁２は、外周側見込壁３５を躯体（木製額縁）９に内周側からネジ３８でネジ止めしてあると共に、内周側見込壁３３に外周側に向けて設けた挿入部６を新設上枠２３の額縁呑み込み溝５に呑み込ませてある。新設上枠２３の額縁呑み込み溝５と上額縁２の挿入部６とは、内外周方向に相対変位可能となっている。
縦額縁４は、図２に示すように、上額縁２と同様に内周側見込壁３３と見付壁３４と外周側見込壁３５とを有するクランク状断面となっており、内周側見込壁３３には外周側に向けて突出する一対の突片３６，３６よりなる挿入部６を有している。さらに縦額縁４は、既設縦枠１８と新設縦枠２４との隙間の位置で気密防水テープ７ｃに室内側から近接する剥がれ防止片３７を有しており、これにより気密防水テープ７ｃが剥がれるのを防いでいる。縦額縁４は、上額縁２と同様に、外周側見込壁３５を躯体（木製額縁）９に内周側からネジ３８でネジ止めしてあると共に、内周側見込壁３３に外周側に向けて設けた挿入部６を新設縦枠２４の額縁呑み込み溝５に呑み込ませてある。新設縦枠２４の額縁呑み込み溝５と縦額縁４の挿入部６とは、内外周方向に相対変位可能となっている。
下額縁３は、図１に示すように、見込壁３９と見付壁４０とで略Ｌ形断面を成し、見込壁３９より外周側に向けて剥がれ防止片３７と脚片４１を有している。見込壁３９の室外側端部には、新設下枠２１の溝２７に形成する突起４２が下向きに形成してある。見込壁３９の室内側端部には、上向きに突出した突部４３が設けてある。下額縁３は、見込壁３９の室外側端部に設けた突起４２を新設下枠２１の溝２７に係合し、見付壁４０及び脚片４１の下端を既設仕上げ面３２に当接し、剥がれ防止片３７と脚片４１の間で内周側からネジ３８で躯体９に固定してある。剥がれ防止片３７は、先端が気密防水テープ７ａに当接ないし近接して、気密防水テープ７ａの剥がれを防止する。
【００１３】
縦額縁４と下額縁３とのコーナー部には、図３〜５に示すように、樹脂製のコーナー部品１０が取付けてあり、コーナー部品１０により縦額縁４の下端４ａと下額縁３の上面との隙間を隠している。コーナー部品１０は、図５，６に示すように、縦額縁４の外側面４ｂに沿う平面視略クランク状に形成されており、縦額縁４の下端部の外側面４ｂに両面テープ（図示省略）で接着して取付けてある。コーナー部品１０の下面にはシーラー４４が取付けてあり、シーラー４４の下面が下額縁３の上面に密着している。
コーナー部品１０は、図３〜５に示すように、上縁部に縦額縁４の外側面４ｂに生じた結露水を受ける外側結露水受け部１１が設けてある。外側結露水受け部１１は、コーナー部品１０の上縁部の室内側端部より室外側端部にわたって連続する樋状に形成され、室内側端部が高く、室外側に向かうにつれてしだいに低くなっており、室外側端部に排水部４５が設けてある。したがって、縦額縁４の外側面４ｂに生じた結露水は、コーナー部品１０の外側結露水受け部１１で受けて室外側に流れ、図３，５中に矢印４６ａで示すように、排水部４５より新設下枠２１上に排水される。
さらにコーナー部品１０は、図５，６に示すように、下縁部に沿って縦額縁４の内側面４ｃに生じた結露水を受ける内側結露水受け部１２が設けてある。内側結露水受け部１２は、室内側端部が高く、室外側に向かうにつれてしだいに低くなっており、室外側端部に内周側に向けて開口する排水孔４７が設けてある。したがって、縦額縁４の内側面４ｃに生じた結露水は、コーナー部品１０の内側結露水受け部１２で受けて室外側に流れ、図３，５中に矢印４６ｂで示すように、排水孔４７を通じて縦額縁４より内周側の下額縁３上に流れ、下額縁３上に溜まった結露水は新設下枠２１上に排水される。
新設下枠２１の上面には、図３に示すように、レール４８ａ，４８ｂ，４８ｃに排水孔（図示省略）を加工して排水経路４９が設けてあり、新設下枠２１側に流れた結露水は新設下枠２１の排水経路４９より室外に排水される。
【００１４】
次に、本改修サッシの施工手順を説明する。まず、図７−１に示すように、既設枠８に各補助材１３ａ，１３ｂ，１３ｃ，１３ｄ，１３ｅを取付ける。次に、図７−２に示すように、新設枠１を既設枠８の内側に室外側から挿入し、既設枠８と新設枠１の間の隙間に適宜スペーサー２２を室内側から差し入れ、新設枠１の位置や姿勢を調整した上で、内周側からネジ１４で新設枠１を固定する。その後、新設枠１の内周側面の室内側端部から既設枠８の室内側面３１又は既設仕上げ面３２にわたって気密防水テープ７ａ，７ｂ，７ｃ，７ｄを貼り、既設枠８と新設枠１との間の隙間を四周連続して塞ぐ。その後、図７−３に示すように、新設枠１の室内側に内周側から額縁２，３，４を取付け、ネジ３８で額縁２，３，４を躯体９に固定する。
【００１５】
以上に述べたように本改修サッシは、窓枠（新設枠１）の室内側部に内周側が開口した額縁呑み込み溝５を有し、額縁（上額縁２及び縦額縁４）は、外周側に向けて設けた挿入部６を窓枠１の額縁呑み込み溝５に呑み込ませて、躯体９に内周側からネジ止めすることで、額縁２，４の転びを防止することができ、施工性が向上する。また、窓枠１の額縁呑み込み溝５と額縁２，４の挿入部６との間で既設枠８の変形を吸収できる。さらに、額縁２，４の挿入部６を窓枠１の額縁呑み込み溝５に呑み込ませてあることで、窓枠１の転び変形を抑制することができる。
窓枠１の額縁呑み込み溝５と額縁２，４の挿入部６とは、内外周方向に相対変位可能であるため、既設枠８の変形や新設枠１の取付位置の誤差等を容易に吸収できる。
【００１６】
また本改修サッシは、新設枠１と気密防水テープ７ａ，７ｂ，７ｃとを備え、気密防水テープ７ａ，７ｂ，７ｃは、新設枠１の内周側面の室内側端部から、外周側に折り曲げて既設枠８の室内側面３１又は既設枠８よりも室内側の躯体９の内周側面にわたって設けてあることで、気密性・水密性が優れており、且つ様々な形状の既設枠８に柔軟に対応することができる。気密防水テープ７ａ，７ｂ，７ｃは、市販の一定幅のものを新設枠１の内周側面の室内側端部に長手方向に沿って貼り付け、その後、外周側に折り曲げて、既設枠８の室内側面３１又は既設枠８よりも室内側の躯体９の内周側面に貼り付けることができ、気密防水テープ７ａ，７ｂ，７ｃを貼る際の施工性が良好である。
本改修サッシは、額縁２，３，４を備え、額縁２，３，４は、新設枠１に内周側から取付けられ、既設仕上げ面３２に当接しており、気密防水テープ７ａ，７ｂ，７ｃ，７ｄが額縁２，３，４で隠れているので、意匠性が良い。
また本改修サッシは、新設枠１の室内側に額縁２，３，４を有し、額縁２，３，４に気密防水テープ７ａ，７ｂ，７ｃの剥がれ防止片３７を有するので、気密防水テープ７ａ，７ｂ，７ｃの剥がれを防止できる。剥がれ防止片３７を、既設枠８と新設枠１との隙間の位置に設けることで、気密防水テープ７ａ，７ｂ，７ｃの剥がれをより効果的に防止できる。
【００１７】
また本改修サッシは、縦額縁４と下額縁３とコーナー部品１０とを備え、コーナー部品１０は、縦額縁４の外側面４ｂの結露水を受ける外側結露水受け部１１と、縦額縁４の内側面４ｃの結露水を受ける内側結露水受け部１２とを有するので、縦額縁４の外側面４ｂ及び内側面４ｃに結露水が生じても、コーナー部品１０の結露水受け部１１，１２でその結露水を受けるので、室内の床等（本実施形態では、木製額縁９）が濡れるのを防止できる。
外側結露水受け部１１は、室外側に向かうにつれて低くなるように形成し、室外側端部に排水部４５を設けることで、結露水を新設下枠２１側に導く導水経路を有している（図３，５参照）ので、結露水を新設下枠２１に流し、新設下枠２１の排水経路４９より室外に排水できる。
内側結露水受け部１２は、室外側に向かうにつれて低くなるように形成し、室外側端部に内周側に向けて開口する排水孔４７を設けることで、結露水を縦額縁４の内周側の下額縁３上に導く導水経路を有している（図３，５参照）ので、結露水を縦額縁４の内周側の下額縁３上に導いた後、新設下枠２１側に排水できる。
【００１８】
図９，１０は、本発明の改修サッシの他の実施形態を示している。本実施形態の改修サッシは、上額縁２と縦額縁４の形態がこれまでに説明した実施形態と異なっている。上額縁２と縦額縁４は、見込壁５０と見付壁５１とを有する略Ｌ形断面に形成され、見込壁５０に外周側に向けて突出する一対の係止爪５２，５２を有し、この係止爪５２，５２を新設枠１の額縁呑み込み溝５に挿入・係止することで取付けられている。見付壁５１の外周側端部にはタイト材５３が外周側に向けて突出して設けてあり、タイト材５３の先端部が既設仕上げ面３２に当接している。また、見付壁５１の室外側面には気密防水テープ７ｂ，７ｃの剥がれ防止片３７を有している。
【００１９】
本実施形態の改修サッシは、額縁２，４の係止爪５２，５２を新設枠１の額縁呑み込み溝５に挿入・係止するだけで取付けでき、ネジ止めが不要なため、額縁２，４の取付けが簡単に行える。額縁２，４の外周側端部にタイト材５３を有し、タイト材５３を既設仕上げ面３２に当接させることで、既設枠８の変形や新設枠１の取付位置の誤差等をタイト材５３で吸収できる。
【００２０】
本発明は以上に述べた実施形態に限定されない。既設枠、新設枠及び額縁の断面形状、材質は、適宜変更することができ、例えば額縁を樹脂製とすることもできる。レール補助材１３ａは、戸車近傍位置のみに設けてあってもよい。気密防水テープの材質、厚み、幅は、適宜変更することができる。コーナー部品は、縦額縁の外側面及び内側面の結露水を受ける結露水受け部を有していればよく、具体的な形状、材質、取付け方は、適宜変更することができる。躯体の構造や、窓枠の躯体への納まりは、任意である。本発明は、引違い窓以外のサッシ、例えば片引き窓、すべり出し窓等、あらゆる窓種のサッシに適用することができる。
【符号の説明】
【００２１】
１  新設枠（窓枠）
２  上額縁（額縁）
３  下額縁（額縁）
４  縦額縁（額縁）
５  額縁呑み込み溝
６  挿入部
７ａ，７ｂ，７ｃ，７ｄ  気密防水テープ
８  既設枠
９  既存の木製額縁（躯体）
１０  コーナー部品
１１  外側結露水受け部（結露水受け部）
１２  内側結露水受け部（結露水受け部）
【図１】
2019218708.tif 000003
【図２】
2019218708.tif 000004
【図３】
2019218708.tif 000005
【図４】
2019218708.tif 000006
【図５】
2019218708.tif 000007
【図６】
2019218708.tif 000008
【図７−１】
2019218708.tif 000009
【図７−２】
2019218708.tif 000010
【図７−３】
2019218708.tif 000011
【図８】
2019218708.tif 000012
【図９】
2019218708.tif 000013
【図１０】
2019218708.tif 000014